(57)【要約】【課題】消色可能なインクによって書かれた落書券を判別する。【解決手段】紙葉類を取扱う紙葉類取扱装置であって、紙葉類の個体を識別しうる紙葉類識別子を取得する識別子取得部と、紙葉類の落書きの有無を判別する第１の判別部と、判別部により判別された落書きが所定の第１の温度範囲において消色し、第２の温度範囲において復色する消色可能インクにより記載されたものか否かを判別する第２の判別部と、第２の判別部により落書きが消色可能インクにより記載されたものと判別された場合に、落書きが消色可能インクにより記載されたものとして識別子を記憶する識別子記憶部と、を備える紙葉類取扱装置。【選択図】図２
2015114868.tif 000002
【特許請求の範囲】
【請求項１】
紙葉類を取扱う紙葉類取扱装置であって、
前記紙葉類の個体を識別しうる紙葉類識別子を取得する識別子取得部と、
前記紙葉類の落書きの有無を判別する第１の判別部と、
前記第１の判別部により判別された落書きが所定の第１の温度範囲において消色し、第２の温度範囲において復色する消色可能インクにより記載されたものか否かを判別する第２の判別部と、
前記第２の判別部により前記落書きが前記消色可能インクにより記載されたものと判別された場合に、前記落書きが前記消色可能インクにより記載されたものとして前記識別子を記憶する識別子記憶部と、
を備える、紙葉類取扱装置。
【請求項２】
請求項１記載の紙葉類取扱装置において、
さらに、
前記紙葉類の温度を検出する温度検出部を備え、
前記第２の判別部は、
前記第１の判別部により落書き有りと判別され、かつ前記温度検出部により検出された温度が前記第２の温度範囲になったことがある場合に、前記落書きが前記消色可能インクにより記載されたものと判別する、紙葉類取扱装置。
【請求項３】
請求項１記載の紙葉類取扱装置において、
さらに、
前記紙葉類取扱装置に前記紙葉類が装填される際に、前記装填される紙葉類の画像を取得する画像取得部を備え、
前記第２の判別部は、
前記第１の判別部により落書き有りと判別された場合に、画像取得部において取得された画像に基づいて、前記紙葉類の装填時における落書きの有無を判別し、装填時において落書き成しと判別された場合に、前記落書きが前記消色可能インクにより記載されたものと判別する、紙葉類取扱装置。
【請求項４】
請求項２に記載の紙葉類取扱装置において、
前記第２の温度範囲は、−１０℃以下である、紙葉類取扱装置。
【発明の詳細な説明】
【技術分野】
【０００１】
本発明は、紙葉類取扱装置に関する。
【背景技術】
【０００２】
紙幣にボールペンなどで落書きがされている場合、その紙幣は損券としてＡＴＭ（Ａｕｔｏｍａｔｅｄ  Ｔｅｌｌｅｒ  Ｍａｃｈｉｎｅ）等の装置内で回収される（例えば、特許文献１，２参照）。
【先行技術文献】
【特許文献】
【０００３】
【特許文献１】特開２００６−３０２１０９号公報
【特許文献２】特開２００３−２４２５４９号公報
【発明の概要】
【発明が解決しようとする課題】
【０００４】
近年、温度条件によって消色するインクを用いた消色可能なペンが多く用いられるようになった。消色可能なペンによって記載された後、消色された文字等は、復色させることも可能である。例えば、株式会社パイロットコーポレーション製のフリクションボールは、６５℃以上で消色し、−２０℃以下で復色する。
【０００５】
消色可能なペンによって落書きされた後に消色されてＡＴＭに入金された紙幣は、特許文献１、２に記載された技術では、落書きが判別されず正券として取り扱われる。
【０００６】
しかしながら、例えば、寒冷地等では、気温の低下によりＡＴＭ内の温度が、消色されたインクが復色する温度になる場合がある。そうすると、ＡＴＭ内に保管されている紙幣において消色されていたインクが復色し、落書きが見える状態になる。その状態で、ＡＴＭの利用者が出金手続きを行った場合には、落書きされた紙幣（以下、「落書き券」ともいう）が出金紙幣として利用者に渡る場合や、出金時の損券として回収庫に回収される場合がある。
【０００７】
そこで、消色可能なインクによって書かれた落書き券を判別することが可能な技術が望まれていた。なお、これらの課題は、紙幣だけでなく、商品券、小切手、トラベラーズ・チェック、カジノチケット、切符、宝くじ等の紙葉類を取り扱う装置に共通するものである。
【課題を解決するための手段】
【０００８】
上記課題を解決するために、本発明は、紙葉類の個体を識別しうる紙葉類識別子を取得する識別子取得部と、紙葉類の落書きの有無を判別する第１の判別部と、第１の判別部により判別された落書きが所定の第１の温度範囲において消色し、第２の温度範囲において復色する消色可能インクにより記載されたものか否かを判別する第２の判別部と、第２の判別部により落書きが消色可能インクにより記載されたものと判別された場合に、落書きが消色可能インクにより記載されたものとして識別子を記憶する識別子記憶部とを備えてよい。
【発明の効果】
【０００９】
本発明によれば、消色可能なインクによって書かれた落書き券を判別することでき、消色可能なインクによって書かれた落書き券が判別された場合には、識別子が記憶されるため、記憶された識別子に基づいて、消色可能なインクによる落書き券を特定することができる。
【００１０】
本発明は、紙葉類取扱装置以外の種々の形態で実現することも可能である。例えば、紙葉類取扱装置の製造方法や紙葉類取扱装置の制御方法、その制御方法を実現するコンピュータプログラム、そのコンピュータプログラムを記録した一時的でない記録媒体（ｎｏｎ−ｔｒａｎｓｉｔｏｒｙ  ｓｔｏｒａｇｅ  ｍｅｄｉｕｍ）等の形態で実現することができる。
【図面の簡単な説明】
【００１１】
【図１】本発明の実施例１としての紙幣取扱装置を備えるＡＴＭの外観構成を説明する説明図である。
【図２】本発明の実施例１としての紙幣取扱装置を備えるＡＴＭの構成を説明するブロック図である。
【図３】本発明の実施例１としての紙幣取扱装置を示す説明図である。
【図４】判別部の構成を示す説明図である。
【図５】本発明の実施例１としての紙幣取扱装置における出金処理の流れを示すフローチャートである。
【図６】実施例２の紙幣取扱装置における装填処理の流れを示すフローチャートである。
【図７】実施例２の紙幣取扱装置における収納処理の流れを示すフローチャートである。
【図８】実施例２の紙幣取扱装置における入金処理の流れを示すフローチャートである。
【図９】実施例２の紙幣取扱装置における出金処理の流れを示すフローチャートである。
【発明を実施するための形態】
【００１２】
以下、実施例を図面を用いて説明する。
【実施例１】
【００１３】
Ａ−１．現金自動取引装置（ＡＴＭ）の構成：
図１、２を用いて、本発明の実施例１としての紙幣取扱装置を備えるＡＴＭの構成について説明する。図１は、本発明の実施例１としての紙幣取扱装置を備えるＡＴＭの外観構成を説明する説明図である。図１では、紙幣取扱装置１００の使用態様の一例として、スタンドアロン設置型のＡＴＭ１０に紙幣取扱装置１００が内蔵された状態を示している。ＡＴＭ１０は、紙幣取扱装置１００と、通帳取扱装置２００と、明細票発行装置３００と、カード取扱装置４００と、操作部５００と、本体制御部記憶装置６００（図示しない）と、本体制御部７００と、装置筐体８００と、を備える。
【００１４】
紙幣取扱装置１００は、利用者等が入金した紙幣を収納し、また、利用者の要求に応じて収納された紙幣を利用者に供給する装置である。さらに、紙幣取扱装置１００は、出金時に消色可能なインクによる落書き券を判別する機能を有する。ここで、消色可能なインクとは、所定の温度範囲で消色し、別の所定の温度範囲で復色するインクである。本実施形態では、６５℃以上で消色し、−１０℃以下で復色するインクを対象としている。筆記具は消色可能なインクを利用していればよく、ボールペン、蛍光ペン、色鉛筆等種々の筆記具が対象となる。
【００１５】
通帳取扱装置２００には通帳を出し入れする通帳スロット２０２が、明細票を出し入れする明細票発行装置３００には明細票スロット３０２が、カード取扱装置４００にはカードを出し入れするカードスロット４０２が、それぞれ設けられている。操作部５００は、利用者、係員、保守員等が操作するための液晶パネルを備え、取引の内容等を表示する表示機能とタッチパッドのような位置入力機能とを有する。紙幣取扱装置１００は、図示するように、シャッタ１１２が、装置筐体８００の表面に露出するように配置されている。
【００１６】
図２は、本発明の実施例１としての紙幣取扱装置を備えるＡＴＭの構成を説明するブロック図である。図示するように、ＡＴＭ１０は、通信回線でホストコンピュータ２０やサーバー３０と接続され、取引情報やＡＴＭ１０の稼動状況などの送受信を行う。
【００１７】
紙幣取扱装置１００と、通帳取扱装置２００と、明細票発行装置３００と、カード取扱装置４００と、操作部５００と、本体制御部記憶装置６００とは、本体制御部７００に接続され、本体制御部７００によって制御されている。例えば、利用者が、ＡＴＭ１０を利用して、出金を行なう場合、本体制御部７００は、通帳取扱装置２００およびカード取扱装置４００を制御して、キャッシュカードや通帳から情報を読み取って、利用者を認証する。また、本体制御部７００は、利用者が操作部４０を介して入力した金額に関する情報に基づいて、紙幣取扱装置１００を制御して、所望の金額の紙幣を利用者に供給させる。なお、シャッタ１１２は、本体制御部７００の指示に応じて自動的に開閉する。
【００１８】
また、本体制御部７００を、その他、外部インタフェース部、係員操作部、外部記憶装置等(図示しない)と接続して、ＡＴＭ１０のメンテナンス作業の際の情報の授受等を、本体制御部７００によって制御するようにしてもよい。
【００１９】
本体制御部記憶装置６００は、プログラム、カードデータ、紙幣取扱装置から報告された紙幣データ等を記憶する。紙幣取扱装置１００は判別部１５０を備える。判別部１５０は、紙幣の寸法、金種、真偽、搬送状態、損券、落書き券を判別する。
【００２０】
寸法判別では、寸法が異常のものをリジェクトと判別する。金種判別では、１万円札、５千円札等の金種を判別すると共に、金種が不明の場合にはリジェクトと判別する。真偽判別では、紙幣が真券か偽券か偽券と疑わしい券（以下、真偽不確定券ともいう）かを判別する。搬送状態判別では、紙幣にスキュー異常（傾き異常）、シフト異常、重送異常（重なり）等があれば、搬送異常でリジェクトと判別する。損券判別では、紙幣に汚れ、耳折れ、破れ、穴がある場合は、損券でリジェクトと判別される。落書き券判別では、落書きがある場合には、リジェクトと判別されるが、さらに後に詳述するように、消色可能なインクによる落書き券か否かを判別する。
【００２１】
判別部１５０は、利用者が入金する際、金融機関の保守員により紙幣が装填される際、出金される際に、判別部１５０を通過する紙幣それぞれについて上記の判別を行い、判別結果に基づいて、紙幣の搬送先を決定する。紙幣取扱装置１００については、後に詳述する。
【００２２】
Ａ−２．紙幣取扱装置：
図３に基づいて、本発明の実施例１としての紙幣取扱装置１００の構成について説明する。図３は本発明の実施例１としての紙幣取扱装置を示す説明図である。図示するように、紙幣取扱装置１００は、入出金部１１０、入出金シャッタ１１２、ホッパ１２０、リジェクトスタッカ１３０、搬送路１４０、ゲート１８１〜１８７、判別部１５０、一時保管庫１６０、回収庫１７０、リサイクル庫１９１〜１９３、装填回収庫１９４、収納庫１９５を備える。
【００２３】
入出金部１１０は、ホッパ１２０、リジェクトスタッカ１３０を備え、利用者との間で紙幣の授受を行う。ホッパ１２０は、利用者が入金する際に紙幣を投入する場合に利用され、リジェクトスタッカ１３０は、主にリジェクトされた紙幣を利用者に返却する場合に利用される。搬送路１４０は、判別部１５０による上述の判別結果に応じて、ゲート１８２〜１８７を利用して、対応する保管庫に紙幣を搬送する。
【００２４】
一時保管庫１６０には紙幣が一時的に保管され、回収庫１７０には偽券や利用者の取り忘れた紙幣が収納され、収納庫１９５にはリサイクルされない紙幣が収納される。装填回収庫１９４には、金融機関の保守員により紙幣が装填される。リサイクル庫１９１〜１９３には入出金部１１０を介して入金されリサイクルされる紙幣が収納されたり、金融機関の保守員により装填回収庫１９４に装填された紙幣が収納される。判別部１５０については後に詳述する。
【００２５】
利用者が入金する場合の紙幣取扱装置１００の動作について、図３に基づいて説明する。
利用者により入出金部１１０に紙幣が投入されると、入出金部１１０内のホッパ１２０から紙幣が１枚ずつ分離され、搬送路１４０上に繰り出される。判別部１５０において上述の通り、紙幣の金種、真偽、搬送状態及び記番号等が判別され、紙幣の収納先が決定される。
【００２６】
ホッパ１２０に投入された紙幣は、一旦、一時保管庫１６０か回収庫１７０に保管され、入金が確定されると、一時保管庫１６０から金種に応じてリサイクル庫１９１〜１９３に移され収納される。
【００２７】
判別部１５０において、真券と判別された紙幣と真偽不確定券と判別された紙幣は、一旦、一時保管庫１６０に保管される。一方、偽券と判別された紙幣は、ゲート１８３で行き先が切替えされ、回収庫１７０に収納される。金種不明、寸法異常、搬送異常、損券、落書き券等、真偽判別以外の判別でリジェクトと判別された紙幣は、ゲート１８２が切替えられ、入出金部１１０のリジェクトスタッカ１３０に戻され、利用者に返却される。
【００２８】
利用者が入金取引を確定すると、一時保管庫１６０に入っている紙幣は、再度、判別部１５０において判別され、真券と判別された紙幣はリサイクル庫１９１〜１９３に収納され、それ以外の紙幣は収納庫１９５に収納される。すなわち、真券はリサイクルされ、それ以外の紙幣はリサイクルされない。
【００２９】
例えば、１枚目が真券と判別され、リサイクルされる紙幣で、２枚目がそれ以外の紙幣（偽券、真偽不確定券、金種不明券、損券、落書き券等）であって、リサイクルされない紙幣の場合について説明する。１枚目の紙幣は、一時保管庫１６０から搬送路１４０に繰り出され、ゲート１８３、ゲート１８２、判別部１５０を通過すると、ゲート１８１が切替えられ、リサイクル庫１９１〜１９３のある方向に搬送される。例えば、リサイクル庫１９２に収納される場合には、ゲート１８５で搬送方向が切替えられ、１枚目の紙幣がリサイクル庫１９２に収納される。
【００３０】
２枚目の紙幣は、１枚目の紙幣と同様に、一時保管庫１６０から搬送路１４０に繰り出されて搬送されるが、ゲート１８５が元に戻されるため、ゲート１８６を通過し、その後、切替えられたゲート１８７を通過して、収納庫１９５に収納される。
【００３１】
一方、利用者が入金取引を取り消した場合は、紙幣はゲート１８３、ゲート１８２、判別部１５０、ゲート１８１を通過して、ホッパ１２０に戻され、利用者に返却される。
【００３２】
Ａ−３．判別部：
紙幣取扱装置１００が備える判別部１５０について、図２、４に基づいて説明する。
図２に示すように、判別部１５０は、画像センサ部１５２と、温度センサ部１５４と、判別部記憶装置１５６と、を備える。画像センサ部１５２は、後述する透過式光学センサ１５２Ａ、反射式カラー光学センサ１５２Ｂ、１５２Ｃ、透過式紫外線センサ１５２Ｄを備え、判別部１５０を通過する紙幣の画像を取得する。温度センサ部１５４は、判別部１５０の周辺温度を常時測定する。
【００３３】
判別部１５０は、取得された画像データに基づいて、上述した紙幣の寸法、金種、真偽、搬送状態、損券、落書き券や、厚み、記番号等を判別する。また、判別部１５０は、温度センサ部１５４において常時取得される温度データに基づいて、温度が−１０℃以下になった場合に低位温度フラグを立てる。
【００３４】
画像センサ部１５２において取得された画像データ、温度センサ部１５４において取得された温度データ、低位温度フラグ等は、判別部記憶装置１５６に記憶される。判別部記憶装置１５６には、こうしたセンサからのデータの他、判別部１５０において判別された紙幣に関する情報（以下、紙幣固有情報とも称する）等も記憶される。
【００３５】
判別部記憶装置１５６に記憶されたこれらのデータは、本体制御部７００を介して本体制御部記憶装置６００やホストコンピュータ２０の備える記憶装置（図示しない）に記憶されてもよい。
【００３６】
図４は、判別部の構成を示す説明図である。図４（Ａ）は、判別部の紙幣が通過する様子を示し、図４（Ｂ）は、判別部の側面を示す。
図４（Ｂ）に示すように、判別部１５０は、判別部上部１５０Ａと判別部下部１５０Ｂとを備え、判別部上部１５０Ａと判別部下部１５０Ｂとの間を紙幣が通過可能に構成されている。判別部上部１５０Ａと判別部下部１５０Ｂとは、それぞれ、ローラー１５８Ａ、１５８Ｂ、１５８Ｃを備える。紙幣は、上下のローラーに挟まれて、ローラーの回転により、矢印の方向に搬送される。
【００３７】
判別部１５０は、画像センサ部１５２として、透過式光学センサ１５２Ａ、反射式カラー光学センサ１５２Ｂ、１５２Ｃ、透過式紫外線センサ１５２Ｄを備える。透過式光学センサ１５２Ａは、透過式であるため、判別部上部１５０Ａと判別部下部１５０Ｂとに対になって備えられ、１対のセンサによって、紙の厚みや紙質を含めて両面の画像が重なった状態での画像データを取得する。
【００３８】
判別部上部１５０Ａが備える反射式カラー光学センサ１５２Ｂによって紙幣の上面の画像データを取得し、判別部下部１５０Ｂが備える反射式カラー光学センサ１５２Ｂによって紙幣の下面の画像データを取得する。透過式紫外線センサ１５２Ｄも透過式光学センサ１５２Ａと同様に、判別部上部１５０Ａと判別部下部１５０Ｂとに対になって備えられる。各センサ１５２Ａ〜１５２Ｄは、図４（Ａ）に示すように、複数個が、ローラー１５８Ａ〜１５８Ｃに沿って、ライン状に設置されている。
【００３９】
Ａ−４．出金処理：
利用者がＡＴＭ１０を利用して出金手続きを行う場合の処理について、図５に基づいて説明する。上述の通り、実施例１において、出金時に消色可能なインクによる落書き券を判別している。図５は、本発明の実施例１としての紙幣取扱装置における出金処理の流れを示すフローチャートである。本出金処理は、利用者がＡＴＭ１０の操作部５００を利用して出金を選択することにより開始される。
【００４０】
本体制御部７００は、出金の指示を受付けると紙幣取扱装置１００を制御して、指定された金種の紙幣をリサイクル庫１９１〜１９３のいずれかから１枚ずつ搬送路１４０へ繰り出す（ステップＳ１００）。繰り出された紙幣が搬送路１４０を通って、判別部１５０に入ると、判別部１５０は、画像センサ部１５２によって通過した紙幣の画像を読取り、取得された画像データを判別部記憶装置１５６に記憶させる（ステップＳ１０２）。
【００４１】
判別部１５０は、判別部記憶装置１５６に記憶された画像データに基づいて、紙幣の寸法、金種、真偽、搬送状態、損券、落書き券等の判別を行い、金種、汚れなどの特徴を紙幣固有情報として、図３の下欄に示すように、記番号、画像データと共に判別部記憶装置１０６に記憶させる（ステップＳ１０４）。
【００４２】
判別部１５０は、ステップＳ１０４で行った判別処理の結果に基づいて、その紙幣に異常があるか否か判断する（ステップＳ１０６）。具体的には、搬送異常があり、寸法、金種、真偽、損券、落書き券の判別がリジェクトになった場合は、紙幣に異常があると判断される。一方、搬送異常がなく、寸法、金種、真偽、損券、落書き券の判別もリジェクトにならかった場合は、紙幣に異常がないと判断される。
【００４３】
ステップＳ１０６において紙幣に異常があると判断された場合は（ステップＳ１０６におけるＹＥＳ）、判別部１５０は、ステップＳ１０４で行った判別処理の結果に基づいて、落書きがあるか否かを判断する（ステップＳ１０８）。ステップＳ１０８において落書きがあると判断された場合には（ステップＳ１０８におけるＹＥＳ）、判別部１５０は、判別部記憶装置１５６に記憶された低位温度フラグに基づいて、紙幣の温度が−１０℃以下になった可能性があるか否かを判断する（ステップＳ１１０）。低位温度フラグが立っていた場合は、紙幣の温度が−１０℃以下になった可能性があると判断される。なお、本実施形態では、紙幣の温度として温度センサ部１５４によって測定される温度センサ部１５４の周辺温度を用いている。
【００４４】
ステップＳ１１０において紙幣の温度が−１０℃以下になった可能性があると判断された場合は（ステップＳ１１０におけるＹＥＳ）、消色可能なインクによる落書き券として記番号を判別部記憶装置１５６に記憶させる（ステップＳ１１２）。本体制御部７００は、紙幣取扱装置１００を制御して、その紙幣を収納庫１９５に収納させ（ステップＳ１１４）、ステップＳ１００に戻る。
【００４５】
ステップＳ１０８において落書き無しと判断された場合と、ステップＳ１１０において−１０℃以下になった可能性がないと判断された場合は、消色可能なインクによる落書き券ではないため消色可能なインクによる落書き券としての記番号は記憶されず、その紙幣は収納庫１９５に収納される（ステップＳ１１４）。
【００４６】
消色可能なインクによる落書き券と判別された紙幣を含め紙幣に異常があると判別された紙幣は、リサイクルされない収納庫１９５に収納されるため、出金されない。
【００４７】
ステップＳ１０６において紙幣に異常がないと判断された場合は（ステップＳ１０６におけるＮＯ）、本体制御部７００は、紙幣取扱装置１００を制御して、その紙幣を入出金部１１０に収納させ（ステップＳ１１６）、入出金部１１０内の紙幣が利用者が指定した枚数になったか否かを判断する（ステップＳ１１８）。指定された枚数になった場合には（ステップＳ１１８におけるＹＥＳ）、出金処理を終了し、指定された枚数になっていない場合には（ステップＳ１１８においてＮＯ）、ステップＳ１００に戻る。
【００４８】
実施例１のＡＴＭ１０において、出金時に判別部１５０において行われた判別処理に基づいて、リジェクトされた紙幣に関する情報を操作部５００に表示させることができる。例えば、搬送異常、寸法異常、金種異常、真偽異常、損券それぞれの件数を表示させる。落書き券については、消色可能なインクによる落書き券と、消色不可能なインクによる落書き券とに分けて、それぞれの件数と、金種と共に記番号を表示させる。さらに、件数だけでなく、紙幣画像を表示させてもよいし、損券の詳細な情報（汚れ、耳折れ、破れ、穴等）を表示させてもよい。例えば、金融機関の保守員が、これらの情報を操作部に表示させることにより、保守点検に利用することができ、使い勝手が向上する。
【００４９】
実施例１の紙幣取扱装置１００は、出金処理において落書き券が判別された場合に、温度が−１０℃以下になった可能性がある場合には、その落書きが消色可能なインクによる落書きであると判断している。そのため、例えば、消色可能なインクであって、−１０℃以下で復色するインクよって落書きされた落書き券を判別することができる。
【００５０】
実施例１において、ステップＳ１１０において温度が−１０℃以下になった可能性のある場合に、消色可能なインクによる落書き券と判別しているが、消色可能なインクによる落書き券と判別する閾値となる温度は−１０℃以下に限定されず、対象とする消色可能なインクの復色する温度範囲に応じて適宜設定可能である。例えば、６０℃以上で復色するインクの場合には、閾値となる温度を６０℃以上に設定すればよい。−１０℃〜１０℃で復色するインクの場合には、閾値となる温度を−１０℃〜１０℃に設定すればよい。
【００５１】
実施例１において、−１０℃以下で復色するインクによる落書きを対象としており、閾値となる温度を対象とするインクの復色温度範囲と同一の−１０℃以下に設定しているが、誤差や余裕を見込んだ範囲設定も、復色温度範囲と同一に設定したものとみなしてよい。例えば、−１０℃以下で復色するインクを対象とした場合に、閾値となる温度を０℃以下に設定してもよい。
【００５２】
さらに、実施例１の紙幣取扱装置１００によれば、消色可能なインクによる落書き券としてその記番号が判別部記憶装置１５６に記憶されるため、紙幣取扱装置１００内に収納されている消色可能なインクによる落書き券を特定することができる。例えば、装填時には落書きが消色しており、落書き券が装填されていないと見なされている場合であっても、判別部記憶装置１５６に記憶された記番号に基づいて、消色可能なインクによる落書き券が予め装填されていたことを確認することができる。
【００５３】
また、落書き券として収納庫１９５に収納されたものの、収納庫１９５内が高温になり落書きが消色する場合がある。この場合にも、判別部記憶装置１５６に記憶された記番号に基づいて、消色可能なインクによる落書き券を特定することができる。そのため、正券が損券として収納庫１９５に収納されたのではないことを確認することができる。これにより、金融機関等の紙幣取扱装置１００の設置者にとって、使い勝手が向上される。
【００５４】
実施例１の紙幣取扱装置１００は、温度に基づいて、消色可能なインクによる落書き券を判別している。温度検出部は、従来の紙葉類取扱装置においても備えられていることが多いため、低コスト化、製造の容易化、省資源化を図ることができる。
【実施例２】
【００５５】
図６〜９に基づいて、実施例２の紙幣取扱装置１００Ａについて説明する。実施例２の紙幣取扱装置１００Ａは、判別部１５０Ａにおいて行われる消色可能なインクによる落書き券の判別方法が実施例１と異なり、温度センサ部１５４を備えないものの、他の構成は同一なので構成の説明を省略する。実施例２の紙幣取扱装置１００Ａでは、出金時の紙幣の画像データと、装填時の紙幣の画像データと、入金時の紙幣の画像データとに基づいて、消色可能なインクによる落書き券を判別する。本実施例における紙幣の装填および入金が請求項３における装填に相当する。
【００５６】
図６は、実施例２の紙幣取扱装置における装填処理の流れを示すフローチャートである。本装填処理は、金融機関等の保守員が装填回収庫１９４に紙幣を装填し、操作部５００を介して装填を指示することにより開始される。
【００５７】
本体制御部７００は、装填指示を受付けると（ステップＳ２００）、紙幣取扱装置１００Ａを制御して、紙幣の収納処理を行う（ステップＳ３００）。装填回収庫１９４内に紙幣があるか否かを判断し（ステップＳ２００）、装填回収庫１９４内の紙幣がなくなるまで収納処理を繰り返す。
【００５８】
図７は、実施例２の紙幣取扱装置における収納処理の流れを示すフローチャートである。
本体制御部７００は、紙幣取扱装置１００Ａを制御して、装填回収庫１９４から搬送路１４０へ１枚ずつ紙幣を繰り出す（ステップＳ３０２）。繰り出された紙幣が搬送路１４０を通って、判別部１５０Ａに入ると、判別部１５０Ａは、画像センサ部１５２によって通過した紙幣の画像を読取り、取得された画像データを判別部記憶装置１５６に記憶させる（ステップＳ３０４）。判別部１５０Ａは、判別部記憶装置１５６に記憶された画像データに基づいて、寸法異常、金種異常、真偽異常、搬送状態異常、損券、落書き券等の異常があるか否かを判別する（ステップ３０６）。
【００５９】
ステップＳ３０６において異常がない場合、金種、汚れなどの特徴を紙幣固有情報として、画像データ、記番号と共に判別部記憶装置１０６に記憶させる（ステップＳ３１０）。本体制御部７００は、紙幣取扱装置１００Ａを制御して、その紙幣を、リサイクル庫１９１〜１９３のいずれかに収納させる（ステップＳ３１２）。ステップＳ３０８において異常有りと判別された場合、本体制御部７００は、紙幣取扱装置１００Ａを制御して、その紙幣を、リサイクルしない紙幣を入れる収納庫１９５に収納させる（ステップＳ３１４）。
【００６０】
このようにして、装填回収庫１９４に装填された紙幣のうち、判別部１５０Ａにおいて異常無しと判別された紙幣は、記番号、画像データを含む紙幣固有情報を記憶され、リサイクル庫１９１〜１９３に収納される。
【００６１】
図８は、実施例２の紙幣取扱装置における入金処理の流れを示すフローチャートである。本入金処理は、ＡＴＭ１０の利用者が入出金部１１０のホッパ１２０に紙幣を投入し、操作部５００を介して入金を指示することにより開始される。
【００６２】
本体制御部７００は、入金指示を受付けると（ステップＳ４００）、紙幣取扱装置１００Ａを制御して、紙幣の収納処理を行う（ステップＳ３００）。ホッパ１２０内に紙幣があるか否かを判断し（ステップＳ４０２）、ホッパ１２０内の紙幣がなくなるまで収納処理を繰り返す。入金処理における収納処理は、装填処理における収納処理と同様であり、上述の装填処理中に行われる収納処理における装填回収庫１９４をホッパ１２０に置き換えればよい。
【００６３】
図９は、実施例２の紙幣取扱装置における出金処理の流れを示すフローチャートである。実施例２における出金処理では、消色可能なインクによる落書き券の判別方法が実施例１とは異なる。本出金処理も実施例１と同様に、利用者がＡＴＭ１０の操作部５００を利用して出金を選択することにより開始される。
【００６４】
本体制御部７００は、出金の指示を受付けると紙幣取扱装置１００Ａを制御して、指定された金種の紙幣をリサイクル庫１９１〜１９３のいずれかから１枚ずつ搬送路１４０へ繰り出す（ステップＴ１００）。繰り出された紙幣が搬送路１４０を通って、判別部１５０Ａに入ると、判別部１５０Ａは、画像センサ部１５２によって通過した紙幣の画像を読取り、取得された画像データを判別部記憶装置１５６に記憶させる（ステップＴ１０２）。
【００６５】
判別部１５０Ａは、判別部記憶装置１５６に記憶された画像データに基づいて、寸法、金種、真偽、搬送状態、損券、落書き券等の判別を行い、金種、汚れなどの特徴を紙幣固有情報として、記番号、画像データと共に、判別部記憶装置１０６に記憶させる（ステップＴ１０４）。判別部１５０Ａは、ステップＴ１０４で行った判別処理の結果に基づいて、その紙幣に異常があるか否か判断する（ステップＴ１０６）。
【００６６】
ステップＴ１０６において紙幣に異常があると判断された場合は（ステップＴ１０６におけるＹＥＳ）、判別部１５０Ａは、ステップＴ１０４で行った判別処理の結果に基づいて、落書きがあるか否かを判断する（ステップＴ１０８）。
【００６７】
ステップＴ１０８において落書きがあると判断された場合には（ステップＴ１０８におけるＹＥＳ）、判別部１５０Ａは、装填処理、入金処理の際に判別部記憶装置１５６に記憶された画像データに基づいて、装填時または入金時と画像データに違いがあるか否かを判別する（ステップＴ１１０）。例えば、装填処理、入金処理の際に判別部１５０Ａ記憶装置１５６に記憶された画像データと、出金処理の際に判別部記憶装置１５６に記憶された画像データとを用いて、特定部位のパターンマッチングや特定部位の移動平均値のレベルの一致レベル等により照合する。
【００６８】
装填時または入金時と画像データに違いがあると判別された場合は（ステップＴ１１０におけるＹＥＳ）、消色可能なインクによる落書き券として記番号を判別部記憶装置１５６に記憶させる（ステップＴ１１２）。本体制御部７００は、紙幣取扱装置１００Ａを制御して、その紙幣を収納庫１９５に収納させ（ステップＴ１１４）、ステップＴ１００に戻る。
【００６９】
ステップＴ１０８において落書き無しと判断された場合と、ステップＴ１１０において装填時または入金時と画像データに違いが無いと判別されたされた場合は、消色可能なインクによる落書き券とは判断されないため、記番号は記憶されず、その紙幣は収納庫１９５に収納される（ステップＴ１１４）。消色可能なインクによる落書き券と判別された紙幣を含め紙幣に異常があると判別された紙幣は、リサイクルされない収納庫１９５に収納されるため、出金されない。
【００７０】
ステップＴ１０６において紙幣に異常がないと判断された場合は（ステップＴ１０６におけるＮＯ）、本体制御部７００は、紙幣取扱装置１００Ａを制御して、その紙幣を入出金部１１０に収納させ（ステップＴ１１６）、実施例１と同様に、入出金部１１０内の紙幣が利用者が指定した枚数になるまで、上記処理を繰り返す。
【００７１】
実施例２の紙幣取扱装置１００Ａでは、消色可能なインクによる落書き券を、装填または入金時に判別部１５０Ａにおいて取得された画像データに基づいて判別している。例えば、消色可能なインクよって書かれた落書きが、消色された状態で装填または入金された場合には、装填処理および入金処理の際に判別部１５０Ａにて落書き券とは判別されないため、消色された落書き券はリサイクル庫１９１〜１９３に収納され、出金時に出金される可能性がある。消色された落書き券が、リサイクル庫１９１〜１９３に収納されているうちに、庫内の温度が低下して落書きが復色することがある。
【００７２】
そうすると、出金時に判別部１５０Ａにて落書き券と判別されるが、本実施形態の紙幣取扱装置１００Ａでは、出金処理において落書き券と判別された場合に、装填または入金時に判別部１５０Ａにおいて取得された画像データと、出金処理時に判別部１５０Ａにおいて取得された画像データとを照合することにより、その落書きが装填または入金時からあったものか否かを判別し、装填または入金時に落書きがなかった場合には、消色可能なインクによる落書き券であると判別する。したがって、本実施形態の紙幣取扱装置１００Ａによっても実施例１の紙幣取扱装置１００と同様の効果を得ることができる。
【００７３】
紙幣取扱装置１００Ａにおいて、装填時および入金時にも落書き判別は行われており、その時点で落書きと判別されたものはリサイクルされないため、基本的には、出金されないはずである。しかしながら、装填時、入金時にも落書きがあったが、その濃淡や大きさ等により、例えば、許容しうる汚れと判断され、落書きと判別されなかったということも想定される。出金時に落書き券と判別され、かつ、装填または入金時の画像データと出金時の画像データとに差違がない場合には、装填または入金時に既に落書きがあったと判別されるので、適切に、消色可能なインクによる落書き券を判別することができる。
【００７４】
実施例２の紙幣取扱装置１００Ａでは、温度センサ部１５４を備えないため、消色可能なインクによる落書き券を判別するために、新たな温度センサを追加する必要が無く、低コスト化、製造の容易化、省資源化を図ることができる。
【００７５】
本発明の別の例として、上記実施例１と実施例２とを組み合わせて、紙幣の温度−１０℃以下になった可能性があって、さらに装填または入金時と画像データに差違があった場合に、消色可能なインクによる落書き券と判別する構成にしてもよい。このようにしても、上記実施例と同様の効果を得ることができる。
【００７６】
上記実施例では、紙葉類として紙幣を例示しているが、本発明は、紙幣に限定されず、商品券、小切手、手形、トラベラーズ・チェック、カジノチケット、切符、宝くじ等であっても良い。上記実施例では紙幣の落書き券について説明しているため、消色可能なインクによる落書き券と判別された場合に記番号を記憶しているが、他の紙葉類の場合には、紙葉類の個体を識別しうる識別子を記憶すればよい。例えば、小切手や手形に印字された磁気インク文字、バーコード等であっても良い。
【００７７】
上記実施例では、現金自動取引装置（ＡＴＭ）について説明したが、現金自動支払機（Ｃａｓｈ  Ｄｉｓｐｅｎｓｅｒ）、両替機、定期券などの券を発券する発券装置、商品券、小切手、手形、トラベラーズ・チェック、カジノチケットを取り扱う装置であっても良い。
【００７８】
上記実施例では、消色可能なインクによる落書き券と判別された場合に、消色可能なインクによる落書き券として記番号情報を記憶させるが、併せて、利用者情報や紙幣の画像情報を記憶させても良い。
【００７９】
なお、本発明は上記した実施例に限定されるものではなく、様々な変形例が含まれる。例えば、上記した実施例は本発明を分かりやすく説明するために詳細に説明したものであり、必ずしも説明した全ての構成を備えるものに限定されるものではない。また、ある実施例の構成の一部を他の実施例の構成に置き換えることが可能であり、また、ある実施例の構成の一部について、他の構成の追加・削除・置換をすることが可能である。
【００８０】
また、上記の各構成、機能、処理部、処理手段等は、それらの一部または全部を、例えば集積回路で設計する等によりハードウェアで実現してもよい。また、上記各構成、機能等は、プロセッサがそれぞれの機能を実現するためのプログラムを解釈し、実行することによりソフトウェアで実現してもよい。各機能を実現するためのプログラム、テーブル、ファイル等の情報は、メモリや、ハードディスク、ＳＳＤ（Solid State Drive）等の記録装置、または、ＩＣカード、ＳＤカード、ＤＶＤ（登録商標）等の記録媒体に置くことができる。
【００８１】
また、制御線や情報線は説明上必要と考えられるものを示しており、製品上の制御線や情報線を必ずしも全て示しているとは限らない。実際には殆ど全ての構成が相互に接続されていると考えてもよい。
【符号の説明】
【００８２】
４０…操作部
１００…紙幣取扱装置
１０６…判別部記憶装置
１１０…入出金部
１１２…入出金シャッタ
１２０…ホッパ
１３０…リジェクトスタッカ
１４０…搬送路
１５０…判別部
１５０Ａ…判別部上部
１５０Ｂ…判別部下部
１５２…画像センサ部
１５２Ａ…透過式光学センサ
１５２Ｂ…反射式カラー光学センサ
１５２Ｄ…透過式紫外線センサ
１５４…温度センサ部
１５６…判別部記憶装置
１５８Ａ…ローラー
１６０…一時保管庫
１７０…回収庫
１８１〜１８７…ゲート
１９１…リサイクル庫
１９２…リサイクル庫
１９４…装填回収庫
１９５…収納庫
２００…通帳取扱装置
２０２…通帳スロット
３００…明細票発行装置
３０２…明細票スロット
４００…カード取扱装置
４０２…カードスロット
５００…操作部
６００…本体制御部記憶装置
７００…本体制御部
８００…装置筐体
１０００…ＡＴＭ
２０００…ホストコンピュータ
３０００…サーバー
【図１】
2015114868.tif 000003
【図２】
2015114868.tif 000004
【図３】
2015114868.tif 000005
【図４】
2015114868.tif 000006
【図５】
2015114868.tif 000007
【図６】
2015114868.tif 000008
【図７】
2015114868.tif 000009
【図８】
2015114868.tif 000010
【図９】
2015114868.tif 000011